(57)【要約】【課題】測定器を使わずに、簡単に、装置内を流れるパルスの振幅を判定する。【解決手段】パルス波形判定システム１００はイーサネットインタフェース回路５０からコネクタ６０を介して出力されるパルス波形をモニタし、パルス波形の振幅が規定を満たしているかを、正ピーク値判定部１０と負ピーク値判定部２０とＰ−Ｐ判定部３０で判定する。正ピーク値判定部１０はパルス波形の正のピーク値が規定最小値以上かを判定し、負ピーク値判定部２０はパルス波形の負のピーク値が規定最小値以上かを判定し、Ｐ−Ｐ判定部３０はパルス波形の正のピーク値と負のピーク値が規定最大値以下であるかを判定する。各判定部は判定結果を結果通知部４０に通知し、結果通知部４０はこれらの判定結果がいずれか一つでも規定を満たさない場合、発光ダイオード４２の点灯で通知する。【選択図】      図１
2004274240.tif 000002
【特許請求の範囲】
【請求項１】
複数伝送モードのパルス波形信号を外部装置と送受信するインタフェース回路を有し、前記インタフェース回路が送受信するパルス波形信号をモニタして、パルス波形を判定するパルス波形判定システムであって、
パルス波形の正のピーク値を、予め定められた第１判定基準設定値と比較して判定し判定結果を出力する正ピーク値判定部と、
パルス波形の負のピーク値を、予め定められた第２判定基準設定値と比較して判定し判定結果を出力する負ピーク値判定部と、
パルス波形の正のピーク値を予め定められた第３判定基準設定値と比較し、且つ負のピーク値を第４判定基準設定値と比較して判定し判定結果を出力するピーク−ピーク判定部と、
前記正ピーク値判定部と前記負ピーク値判定部と前記ピーク−ピーク判定部とからの判定結果に基づいて、パルス波形の振幅値を判定して判定結果を通知する判定結果通知部とを有することを特徴とするパルス波形判定システム。
【請求項２】
前記インタフェース回路がパルス波形信号を送受信していることを監視し、前記インタフェース回路がパルス波形信号を送受信しているときには、判定許可を前記正ピーク値判定部と前記負ピーク値判定部と前記ピーク−ピーク判定部に与え、一方、前記インタフェース回路がパルス波形信号を送受信していないときには、判定禁止を前記正ピーク値判定部と前記負ピーク値判定部と前記ピーク−ピーク判定部に与える監視部を、さらに、有し、
前記正ピーク値判定部と前記負ピーク値判定部と前記ピーク−ピーク判定部は、前記監視部からの判定許可を受けて、パルス波形の判定を実行し、前記監視部からの判定禁止を受けて、パルス波形の判定を禁止することを特徴とする請求項１記載のパルス波形判定システム。
【請求項３】
前記インタフェース回路が複数伝送モードの内のいずれの伝送モードで動作しているかを調べ、動作伝送モードを認識し、当該伝送動作モードに対応する第１判定基準設定値と第２判定基準設定値と第３判定基準設定値と第４判定基準設定値設定値とを、前記正ピーク値判定部と前記負ピーク値判定部と前記ピーク−ピーク判定部とに通知するモード設定部を、さらに、有し、
前記正ピーク値判定部は、パルス波形の正のピーク値を、前記モード設定部から通知される前記第１判定基準設定値と比較して判定し判定結果を出力し、
前記負ピーク値判定部は、パルス波形の負のピーク値を、前記モード設定部から通知される前記第２判定基準設定値と比較して判定し判定結果を出力し、
前記ピーク−ピーク判定部は、パルス波形の正のピーク値を前記モード設定部から通知される前記第３判定基準設定値と比較し、且つ、負のピーク値を前記モード設定部から通知される前記第４判定基準設定値と比較して判定し判定結果を出力することを特徴とする請求項１記載のパルス波形判定システム。
【請求項４】
前記第３判定基準設定値は、前記第１判定基準設定値より大なる値で、前記第４判定基準設定値は、前記第２判定基準設定値より大なる値でであることを特徴とする請求項１と３記載のパルス波形判定システム。
【請求項５】
前記第１判定基準設定値は、正のピーク値の許容される最小値であり、前記第２判定基準設定値は、負のピーク値の許容される最小値であり、前記第３判定基準設定値は、正のピーク値の許容される最大値であり、前記第４２判定基準設定値は、負のピーク値の許容される最大値であることを特徴とする請求項１と３記載のパルス波形判定システム。
【請求項６】
複数伝送モードのパルス波形信号を外部装置と送受信するインタフェース回路を有し、前記インタフェース回路が送受信するパルス波形信号をモニタして、パルス波形を判定するパルス波形判定システムであって、
パルス波形の正のピーク値を、正のピーク値の許容される最小値である第１判定基準設定値と比較し、パルス波形の正のピーク値が前記第１判定基準設定値を超えるとき、ハイレベルの論理出力を判定結果として出力し、パルス波形の正のピーク値が前記第１判定基準設定値を超えないとき、ローレベルの論理出力を判定結果信号として出力する正ピーク値判定部と、
パルス波形の負のピーク値を、負のピーク値の許容される最小値である第２判定基準設定値と比較し、パルス波形の負のピーク値が前記第２判定基準設定値を超えるとき、ハイレベルの論理出力を判定結果として出力し、パルス波形の負のピーク値が前記第２判定基準設定値を超えないとき、ローレベルの論理出力を判定結果信号として出力する負ピーク値判定部と、
パルス波形の正のピーク値を、正のピーク値の許容される最大値である第３判定基準設定値と比較し、且つ、パルス波形の負のピーク値を、負のピーク値の許容される最大値である第４判定基準設定値と比較し、パルス波形の正のピーク値が前記第３判定基準設定値を超えないで、且つ、パルス波形の負のピーク値が前記第４判定基準設定値を超えないとき、ハイレベルの論理出力を判定結果信号として出力し、一方、パルス波形の正のピーク値が前記第３判定基準を超えるとき、あるいは、パルス波形の負のピーク値が前記第４判定基準設定値を超えるとき、あるいは、パルス波形の正のピーク値が前記第３判定基準設定値を超え且つパルス波形の負のピーク値が前記第４判定基準設定値を超えるとき、ローレベルの論理出力を判定結果信号として出力するピーク−ピーク判定部と、
前記正ピーク値判定部からの判定結果信号と前記負ピーク値判定部からの判定結果信号と前記ピーク−ピーク判定部からの判定結果信号との論理積をとり判定総合結果信号として出力する論理積回路と、
前記論理積回路からの判定総合結果信号がローレベルであるとき、パルス波形が基準を満たさないことを通知する結果通知部を有することを特徴とするパルス波形判定システム。
【請求項７】
前記結果通知部は、発光ダイオードを有し、前記論理積回路からローレベルの判定総合結果信号を受けて、前記発光ダイオードを点灯することを特徴とする請求項６記載のパルス波形判定システム。
【発明の詳細な説明】
【０００１】
【発明の属する技術分野】
本発明は、パルス波形の振幅値を判定するパルス波形判定システムに関し、特に、装置内を流れるパルスをモニタしてパルス波形の振幅値を判定するパルス波形判定システムに関する。
【０００２】
【従来の技術】
従来、１００ＢＡＳＥ−Ｔイーサネット（登録商標）プロトコル（Ｅｔｈｅｒｎｅｔ  ｐｒｏｔｏｃｏｌｓ）をサポートし、ＩＥＥＥ  ８０２．３ｕ  Ｓｔａｎｄａｒｄ  Ｍｅｄｉａ  ｉｎｄｅｐｅｎｄｅｎｔ  Ｉｎｔｅｒｆａｃｅ（ＭＩＩ）に準拠しているイーサネット送受信機（Ｅｔｈｅｒｎｅｔ  Ｔｒａｎｓｃｅｉｖｅｒ）を使用し、外部装置と通信する機能を有する装置において、その通信機能の検査は、通信の確認を行う検査と外部装置に出力されるパルス波形が規定を満たしているかの検査に分けられて実行されている。パルス波形が規定を満たしているかの検査は、ディジタルオシロスコープにパルス波形を表示させ、時間に対する波形電圧を測定し、その測定値が規定を満たしているかを確認する方法と、パルス波形確認用ソフトをディジタルオシロスコープにインストールし、パルス波形がテンプレート内に表示されているかの確認によりパルス波形が規定を満たしているかを確認する方法で、パルス波形が規定を満たしているかの検査が行われている。
【０００３】
【発明が解決しようとする課題】
従来技術には、次のようの問題点があった。
【０００４】
第１の問題点は、装置の通信機能検査に時間がかかり、又、大変手間がかかる点である。
その理由は、パルス波形の振幅が規定を満たしているか否かの確認は、外部装置との通信確認検査では確認できないため、パルス波形が規定を満たしているかの検査を外部装置との通信確認検査とは別に行わなければならず、又、パルス波形の確認方法は、被試験装置をディジタルオシロスコープに接続し、パルス波形の電圧測定を行い、規定値と比較しなければならないからである。
【０００５】
第２の問題点は、測定器材確保上の問題である。
その理由は、パルス波形の確認を行う際はディジタルオシロスコープが必要であり、また、パルス波形確認用ソフトを用いパルス波形を確認する場合は、専用の測定器が必要になるからである。
【０００６】
このような課題を解決できる技術の１つが、既に開示されている（例えば、特許文献１）。
【０００７】
【特許文献１】
特開平２００２−２１４２６４号公報（頁４〜７、図）
本発明は、以上のような問題点を解決し、特別な測定装置を使わずに、しかも簡単に、装置内を流れるパルスの振幅値を判定する技術を提供することにある。
【０００８】
【課題を解決するための手段】
本発明のパルス波形判定システムは、複数伝送モードのパルス波形信号を外部装置と送受信するインタフェース回路を有し、前記インタフェース回路が送受信するパルス波形信号をモニタして、パルス波形を判定するパルス波形判定システムであって、
パルス波形の正のピーク値を、予め定められた第１判定基準設定値と比較して判定し判定結果を出力する正ピーク値判定部と、
パルス波形の負のピーク値を、予め定められた第２判定基準設定値と比較して判定し判定結果を出力する負ピーク値判定部と、
パルス波形の正のピーク値を予め定められた第３判定基準設定値と比較し、且つ負のピーク値を第４判定基準設定値と比較して判定し判定結果を出力するピーク−ピーク判定部と、
前記正ピーク値判定部と前記負ピーク値判定部と前記ピーク−ピーク判定部とからの判定結果に基づいて、パルス波形の振幅値を判定して判定結果を通知する判定結果通知部とを有することを特徴とする。
【０００９】
また、本発明のパルス波形判定システムは、前記インタフェース回路がパルス波形信号を送受信していることを監視し、前記インタフェース回路がパルス波形信号を送受信しているときには、判定許可を前記正ピーク値判定部と前記負ピーク値判定部と前記ピーク−ピーク判定部に与え、一方、前記インタフェース回路がパルス波形信号を送受信していないときには、判定禁止を前記正ピーク値判定部と前記負ピーク値判定部と前記ピーク−ピーク判定部に与える監視部を、さらに、有し、
前記正ピーク値判定部と前記負ピーク値判定部と前記ピーク−ピーク判定部は、前記監視部からの判定許可を受けて、パルス波形の判定を実行し、前記監視部からの判定禁止を受けて、パルス波形の判定を禁止することを特徴とする。
【００１０】
さらに、本発明のパルス波形判定システムは、前記インタフェース回路が複数伝送モードの内のいずれの伝送モードで動作しているかを調べ、動作伝送モードを認識し、当該伝送動作モードに対応する第１判定基準設定値と第２判定基準設定値と第３判定基準設定値と第４判定基準設定値設定値とを、前記正ピーク値判定部と前記負ピーク値判定部と前記ピーク−ピーク判定部とに通知するモード設定部を、さらに、有し、
前記正ピーク値判定部は、パルス波形の正のピーク値を、前記モード設定部から通知される前記第１判定基準設定値と比較して判定し判定結果を出力し、
前記負ピーク値判定部は、パルス波形の負のピーク値を、前記モード設定部から通知される前記第２判定基準設定値と比較して判定し判定結果を出力し、
前記ピーク−ピーク判定部は、パルス波形の正のピーク値を前記モード設定部から通知される前記第３判定基準設定値と比較し、且つ、負のピーク値を前記モード設定部から通知される前記第４判定基準設定値と比較して判定し判定結果を出力することを特徴とする。
【００１１】
また、本発明のパルス波形判定システムは、前記第３判定基準設定値が、前記第１判定基準設定値より大なる値で、前記第４判定基準設定値は、前記第２判定基準設定値より大なる値でであることを特徴とする。
【００１２】
さらに、本発明のパルス波形判定システムは、前記第１判定基準設定値が、正のピーク値の許容される最小値であり、前記第２判定基準設定値は、負のピーク値の許容される最小値であり、前記第３判定基準設定値は、正のピーク値の許容される最大値であり、前記第４２判定基準設定値は、負のピーク値の許容される最大値であることを特徴とする。
【００１３】
また、本発明のパルス波形判定システムは、複数伝送モードのパルス波形信号を外部装置と送受信するインタフェース回路を有し、前記インタフェース回路が送受信するパルス波形信号をモニタして、パルス波形を判定するパルス波形判定システムであって、
パルス波形の正のピーク値を、正のピーク値の許容される最小値である第１判定基準設定値と比較し、パルス波形の正のピーク値が前記第１判定基準設定値を超えるとき、ハイレベルの論理出力を判定結果として出力し、パルス波形の正のピーク値が前記第１判定基準設定値を超えないとき、ローレベルの論理出力を判定結果信号として出力する正ピーク値判定部と、
パルス波形の負のピーク値を、負のピーク値の許容される最小値である第２判定基準設定値と比較し、パルス波形の負のピーク値が前記第２判定基準設定値を超えるとき、ハイレベルの論理出力を判定結果として出力し、パルス波形の負のピーク値が前記第２判定基準設定値を超えないとき、ローレベルの論理出力を判定結果信号として出力する負ピーク値判定部と、
パルス波形の正のピーク値を、正のピーク値の許容される最大値である第３判定基準設定値と比較し、且つ、パルス波形の負のピーク値を、負のピーク値の許容される最大値である第４判定基準設定値と比較し、パルス波形の正のピーク値が前記第３判定基準設定値を超えないで、且つ、パルス波形の負のピーク値が前記第４判定基準設定値を超えないとき、ハイレベルの論理出力を判定結果信号として出力し、一方、パルス波形の正のピーク値が前記第３判定基準を超えるとき、あるいは、パルス波形の負のピーク値が前記第４判定基準設定値を超えるとき、あるいは、パルス波形の正のピーク値が前記第３判定基準設定値を超え且つパルス波形の負のピーク値が前記第４判定基準設定値を超えるとき、ローレベルの論理出力を判定結果信号として出力するピーク−ピーク判定部と、
前記正ピーク値判定部からの判定結果信号と前記負ピーク値判定部からの判定結果信号と前記ピーク−ピーク判定部からの判定結果信号との論理積をとり判定総合結果信号として出力する論理積回路と、
前記論理積回路からの判定総合結果信号がローレベルであるとき、パルス波形が基準を満たさないことを通知する結果通知部を有することを特徴とする。
【００１４】
さらに、本発明のパルス波形判定システムは、前記結果通知部が、発光ダイオードを有し、前記論理積回路からローレベルの判定総合結果信号を受けて、前記発光ダイオードを点灯することを特徴とする。
【００１５】
【発明の実施の形態】
次に、本発明の実施の形態について図面を参照して詳細に説明する。
【００１６】
図１は、本発明の第１実施形態の構成ブロック図である。
【００１７】
図１を参照して、１００ＢＡＳＥ−Ｔイーサネットプロトコル（Ｅｔｈｅｒｎｅｔ  ｐｒｏｔｏｃｏｌｓ）をサポートし、ＩＥＥＥ  ８０２．３ｕ  Ｓｔａｎｄａｒｄ  Ｍａｄｉａ  ｉｎｄｅｐｅｎｄｅｎｔ  Ｉｎｔｅｒｆａｓｅ（ＭＩＩ）に準拠しているイーサネット送受信機（Ｅｔｈｅｒｎｅｔ  Ｔｒａｎｓｃｅｉｖｅｒ）を使用し、パーソナルコンピューターを含む外部装置と通信する機能を有する装置１０００は、イーサネットをインタフェースするイーサネットインタフェース回路５０と、イーサネットインタフェースを外部装置に接続するコネクタ６０とを有し、さらに、外部装置に出力されるパルス波形の振幅が規定を満たしているか否かを判定するパルス波形判定システム１００を組み込んで構成されている。
【００１８】
イーサネットインタフェース回路５０は、１００ＢＡＳＥ−Ｔイーサネットプロトコルによる伝送モードのパルス信号を、外部装置と送受信するイーサネット送受信機を有している。
【００１９】
パルス波形判定システム１００は、正ピーク値判定部１０と、負ピーク値判定部２０と、ピーク−ピーク（Ｐｅａｋ  ｔｏ  Ｐｅａｋ：以降Ｐ−Ｐ）判定部３０と、結果通知部４０を有して構成される。そして、パルス波形判定システム１００は、イーサネットインタフェース回路５０からコネクタ６０を介して外部装置に出力されるパルス波形をモニタして、パルス波形を判定する。
【００２０】
正ピーク値判定部１０と負ピーク値判定部２０とＰ−Ｐ判定部３０との各々は、各判定基準に従い、入力されたパルス波形が規定を満たしているか否か判定し、判定結果を結果通知部４０に通知する。
【００２１】
結果通知部４０は、各判定部の判定結果に従い、パルス波形の振幅が規定を満たしているか否かを発光ダイオード４２の点灯により外部に通知する。
【００２２】
次に、本発明の実施形態の動作について図面を参照して詳細に説明する。
【００２３】
図２は、正ピーク値判定部における動作波形を示す図で、図３は、負ピーク値判定部における動作波形を示す図で、図４は、Ｐ−Ｐ判定部における動作波形を示す図である。
【００２４】
図１を参照して、１００ＢＡＳＥ−Ｔイーサネットの装置１０００は、電源が投入され、初期設定が完了すると、イーサネット送受信機（Ｅｔｈｅｒｎｅｔ  Ｔｒａｎｓｃｅｉｖｅｒ）は、通信確立を確認するためのパルス波形を連続して出力する。パルス波形判定システム１００は、このパルス波形を入力して、正ピーク値判定部１０と負ピーク値判定部２０とＰ−Ｐ判定部３０にてパルス波形の振幅を判定する。
【００２５】
正ピーク値判定部１０の動作について図２を用いて説明する。
【００２６】
正ピーク値判定部１０は、パルスの振幅電圧レベルの比較を行う電圧比較部１１と、電圧比較部１１からの出力を判定する判定部１２から構成される。
【００２７】
図２（ａ）を参照して、電圧比較部１１は、入力されたパルス波形の正のピーク値が、あらかじめ規定の許容最小値に定めた設定値ＴＨ１を超えるか否かを判定し、パルス波形の正のピーク値が、設定値ＴＨ１を超えている間、ハイ（Ｈｉｇｈ）レベルのパルス信号を出力する。
判定部１２は、電圧比較部１１から入力される信号を判定し、電圧比較部１１から、一定間隔で、Ｈｉｇｈレベルのパルス信号が入力される間、Ｈｉｇｈレベルの信号を出力する。
【００２８】
図２（ｂ）を参照して、一方、電圧比較部１１は、入力されたパルス波形の正のピーク値が、設定値ＴＨ１を超えないと判定すると、パルス信号を何も出力しない。
判定部１２は、電圧比較部１１から入力される信号を判定し、電圧比較部１１から、一定時間、Ｈｉｇｈレベルのパルス信号が入力されないときは、ロー（Ｌｏｗ）レベルの信号を出力する。
【００２９】
以上の動作により、正ピーク値判定部１０は、規定を満たすパルス波形が入力された時、Ｈｉｇｈレベルの信号を出力し、規定を満たさないパルス波形が入力された時、Ｌｏｗレベルの信号を出力する。
【００３０】
負ピーク値判定部２０の動作について図３を用いて説明する。
【００３１】
負ピーク値判定部２０は、正ピーク値判定部１０と同様に電圧比較部２１と判定部２２から構成される。
【００３２】
図３（ａ）を参照して、電圧比較部２１は、入力されたパルス波形の負のピーク値が、あらかじめ規定された許容最小値に定めた設定値ＴＨ２を超えるか否かを判定し、パルス波形の負のピーク値が設定値ＴＨ２を超えている間、Ｈｉｇｈレベルのパルス信号を出力する。
判定部２２は、電圧比較部２１から入力される信号を判定し、電圧比較部２１から、一定間隔で、Ｈｉｇｈレベルのパルス信号が入力される間、Ｈｉｇｈレベルの信号を出力する。
【００３３】
図３（ｂ）を参照して、一方、電圧比較部２１は、入力されたパルス波形の負のピーク値が、設定値ＴＨ２を超えないと判定すると、パルス信号を何も出力しない。
判定部２２は、電圧比較部２１から入力される信号を判定し、電圧比較部２１から、一定時間、Ｈｉｇｈレベルのパルス信号が入力されないときは、Ｌｏｗレベルの信号を出力する。
【００３４】
以上の動作により、負ピーク値判定部２０は、規定を満たすパルス波形が入力された時、Ｈｉｇｈレベルの信号を出力し、規定を満たさないパルス波形が入力された時、Ｌｏｗレベルの信号を出力する。
【００３５】
Ｐ−Ｐ判定部３０の動作について図４を用いて説明する。
【００３６】
Ｐ−Ｐ判定部３０は、電圧比較部３１と、判定部３２と、インバーター回路３３から構成される。
【００３７】
図４（ｂ）を参照して、電圧比較部３１は、入力されたパルス波形の正のピーク値があらかじめ規定の許容最大値に定めた設定値ＴＨ３＋を超えるか否かを判定するとともに、入力されたパルス波形の負のピーク値があらかじめ規定の許容最大値に定めた設定値ＴＨ３−を超えるか否かを判定し、正のピーク値が設定値ＴＨ３＋を超えている間、あるいは、負のピーク値が設定値ＴＨ３−を越えている間、ありいは、正のピーク値が設定値ＴＨ３＋を越え、且つ負のピーク値が設定値ＴＨ３−を越えている間、Ｈｉｇｈレベルのパルス信号を出力する。
判定部３２は、電圧比較部３１から入力される信号を判定し、電圧比較部３１から、一定間隔で、Ｈｉｇｈレベルのパルス信号が入力される間、Ｈｉｇｈレベルの信号を出力する。
インバーター回路３３は、判定部３２からのＨｉｇｈレベルの信号を論理反転してＬｏｗレベルの信号を出力する。
【００３８】
図４（ａ）を参照して、一方、電圧比較部３１は、入力されたパルス波形の正のピーク値が設定値ＴＨ３＋を超えないで且つ負のピーク値が設定値ＴＨ３−を超えないと判定するとき、パルス信号を何も出力しない。
判定部３２は、電圧比較部３１から入力される信号を判定し、電圧比較部３１から、一定時間，パルス信号が入力されないと、Ｌｏｗレベルの信号を出力する。インバーター回路３３は、判定部３２からのＬｏｗレベルの信号を論理反転してＨｉｇｈレベルの信号を出力する。
【００３９】
以上の動作により、Ｐ−Ｐ判定部３０は、規定を満たすパルス波形が入力された時、Ｈｉｇｈレベルの信号を出力し、規定を満たさないパルス波形が入力された時、Ｌｏｗレベルの信号を出力する。
【００４０】
正ピーク値判定部１０と負ピーク値判定部２０とＰ−Ｐ判定部３０とは、入力されるパルス波形の振幅を判定しその判定結果を結果通知部４０に通知する。
【００４１】
結果通知部４０の動作について説明する。
【００４２】
結果通知部４０は、ＡＮＤ回路４１と発光ダイオード４２から構成される。
【００４３】
ＡＮＤ回路４１は、正ピーク値判定部１０と負ピーク値判定部２０とＰ−Ｐ判定部３０からの判定結果、すなわち判定結果信号、の論理積をとり判定総合結果信号を出力する。即ち、ＡＮＤ回路４１は、正ピーク値判定部１０と負ピーク値判定部２０とＰ−Ｐ判定部３０による判定結果が全て規定を満たす場合はＨｉｇｈレベルの判定総合結果信号を出力し、一方、正ピーク値判定部１０と負ピーク値判定部２０とＰ−Ｐ判定部３０による判定結果の内のいずれかが規定を満たさない場合はＬｏｗレベルの判定総合結果信号を出力する。
【００４４】
発光ダイオード４２は、ＡＮＤ回路４１からパルス波形の振幅値が規定を満たすことを示すＨｉｇｈレベルの判定総合結果信号が入力されるときは点灯を行わず、規定を満たさないことを示すＬｏｗレベルの判定総合結果信号が入力されるとき点灯を行う。
【００４５】
以上述べたように、発光ダイオード４２の点灯の有無により、１００ＢＡＳＥ−Ｔイーサネットのパルス波形が規定の振幅値を満たしているか否かが外部より容易に判定される。
【００４６】
次に、本発明の第２実施形態について説明する。
【００４７】
図５は、本発明の第２実施形態の構成ブロック図である。
【００４８】
図５を参照して、外部装置と通信を行う時のみパルス出力を行う送受信機（Ｔｒａｎｓｃｅｉｖｅｒ）を使用して外部装置と通信する機能を有する装置２０００は、パルス波形の振幅が規定を満たしているか否かを判定するパルス波形判定システム２００と、パルス波形を発生するパルス波形生成回路２０１と、外部装置にパルス出力するコネクタ２０７とを有して構成される。
【００４９】
パルス波形判定システム２００は、出力監視部２０２と、正ピーク値判定部２０３と、負ピーク値判定部２０４と、Ｐ−Ｐ判定部２０５と、結果通知部２０６とを有して構成される。
【００５０】
出力監視部２０２は、パルス波形生成回路２０１からのパルスの出力を監視し、パルスの出力があるとき、正ピーク値判定部２０３と負ピーク値判定部２０４とＰ−Ｐ判定部２０５とに、パルス波形を判定する動作の許可を与え、一方、パルスの出力がないときは、正ピーク値判定部２０３と負ピーク値判定部２０４とＰ−Ｐ判定部２０５とに、パルス波形を判定する動作の禁止を指令する。
【００５１】
正ピーク値判定部２０３と負ピーク値判定部２０４とＰ−Ｐ判定部２０５とは、第１実施形態を構成する正ピーク値判定部１０と負ピーク値判定部２０とＰ−Ｐ判定部３０と同じものである。ただし、正ピーク値判定部２０３と負ピーク値判定部２０４とＰ−Ｐ判定部２０５は、出力監視部２０２からの、動作の許可を受けて、パルス波形の正ピーク値と負ピーク値との判定を行う。
【００５２】
結果通知部２０６は、第１実施形態を構成する結果通知部４０と同じものである。
【００５３】
動作を説明する。
【００５４】
出力監視部２０２は、パルス波形生成回路２０１からのパルスの出力を監視し、パルスの出力があるとき、正ピーク値判定部２０３と負ピーク値判定部２０４とＰ−Ｐ判定部２０５とに、パルス波形を判定する動作の許可を示す許可信号を送る。
正ピーク値判定部２０３と負ピーク値判定部２０４とＰ−Ｐ判定部２０５は、出力監視部２０２から許可信号を受けると、第１実施形態の動作と同様に、入力されたパルス波形が規定を満たしているか否か判定を行い、判定結果を結果通知部２０６に通知する。
【００５５】
結果通知部２０６は、各判定部からの判定結果により外部へ判定結果を通知する。
【００５６】
以上述べたように、第２実施形態では、外部装置と通信を行う時のみパルス出力を行う装置において、出力監視部が各判定部の判定動作を制御することにより、パルス波形生成回路からのパルス出力が停止時におけるパルス波形判定システムの誤動作を防ぐことができるので、パルス波形の振幅が規定を満たしていない装置の発見を可能にする。
【００５７】
次に、本発明の第３実施形態について説明する。
【００５８】
図６は、本発明の第３実施形態の構成ブロック図である。
【００５９】
図６を参照して、１０ＢＡＳＥ−Ｔイーサネットプロトコル及び１００ＢＡＳＥ−Ｔイーサネットプロトコルをサポートするイーサネット送受信機（Ｅｔｈｅｒｎｅｔ  Ｔｒａｎｓｃｅｉｖｅｒ）を使用し、外部装置と通信を行う装置３０００は、イーサネットインタフェース回路３０１と、コネクタ３０７と、パルス波形判定システム３００とを有して構成される。
【００６０】
イーサネットインタフェース回路３０１は、１０ＢＡＳＥ−Ｔイーサネットプロトコルと１００ＢＡＳＥ−Ｔイーサネットプロトコルとをインタフェースするものである。すなわち、イーサネットインタフェース回路３０１は、１０ＢＡＳＥ−Ｔイーサネットプロトコルによる伝送モードのパルス信号と１００ＢＡＳＥ−Ｔイーサネットプロトコルによる伝送モードのパルス信号との内のいずれかの伝送モードのパルス信号を外部装置と送受信するイーサネット送受信機を有している。
【００６１】
コネクタ３０７は、第１実施形態を構成するコネクタ６０と同じものである。
【００６２】
パルス波形判定システム３００は、モード設定部３０２と、正ピーク値判定部３０３と、負ピーク値判定部３０４と、Ｐ−Ｐ判定部３０５と、結果通知部３０６とを有して構成される。
【００６３】
モード設定部３０２は、イーサネットインタフェース回路３０１が１０ＢＡＳＥ−Ｔイーサネットプロトコルと１００ＢＡＳＥ−Ｔイーサネットプロトコルとの内のいずれの伝送モードで動作しているかを調べ、動作伝送モードを認識し、当該伝送動作モードに対する、パルス波形判定のための設定値ＴＨ１、ＴＨ２、ＴＨ３＋、ＴＨ３−の各々を、正ピーク値判定部３０３と負ピーク値判定部３０４とＰ−Ｐ判定部３０５との各々に通知する。
【００６４】
正ピーク値判定部３０３と負ピーク値判定部３０４とＰ−Ｐ判定部３０５の各々は、第１実施形態を構成する正ピーク値判定部１０と負ピーク値判定部２０とＰ−Ｐ判定部３０と同じもので、モード設定部３０２から設定値ＴＨ１、ＴＨ２、ＴＨ３＋、ＴＨ３―の通知を受け、この設定値ＴＨ１、ＴＨ２、ＴＨ３＋、ＴＨ３―に基づいて、入力されたパルス波形が規定を満たしているか否か判定をし、判定結果を結果通知部３０６に通知する。
【００６５】
結果通知部３０６は、各判定部の判定結果より外部へ判定結果を通知する。
【００６６】
以上述べたように、第３実施形態では、複数動作伝送モードを持つ送受信機（Ｔｒａｎｓｃｅｉｖｅｒ）を使用し、外部装置と通信を行う装置において、モード設定部にて動作伝送モード情報を取得し各判定部の判定基準を変更することにより、各動作モードにてパルス波形の振幅が規定を満たしているか否かの判定を行い、パルス波形の振幅が規定を満たしていない動作モードの発見を可能にする。
【００６７】
【発明の効果】
第１の効果は、装置を検査する試験時間を短縮できる点である。
その理由は、外部装置との通信確認を行う検査と同時に、パルス波形判定システムが制御する発光ダイオードの点灯状態を確認するのみで、装置より出力されるパルス波形の振幅が規定を満たしているか否かの確認が行えるからである。
【００６８】
第２の効果は、専用測定器を使用せず、装置を検査時にパルス波形の振幅が規定を満たしているか否かの確認が行える点である。
その理由は、装置内にパルス波形判定システムを組み入れることにより、外部装置に出力される通信をモニタし外部装置に送信されるパルス波形の振幅が規定を満たしているか否かの確認を行うことが出来る為、専用測定器を使用したパルス波形の確認が不要となるからである。
【００６９】
第３の効果は、パルス波形判定システムの誤動作を防ぐことができることである。
その理由は、振幅を判定するべきパルスの伝送が停止されているとき、伝送の停止を認識してパルス波形判定処理を禁止して、雑音による誤動作を無くすことができるからである。
【００７０】
第４の効果は、インタフェースの伝送モードによらず、伝送パルス波形の振幅が規定を満たしているか否かの確認が行えることである。
その理由は、インタフェースの伝送モードを認識し、伝送モードに適するように振幅判定のための設定値を変更できるからである。
【００７１】
【図面の簡単な説明】
【図１】本発明の第１実施形態の構成ブロック図である。
【図２】正ピーク値判定部における動作波形を示す図である。
【図３】負ピーク値判定部における動作波形を示す図である。
【図４】Ｐ−Ｐ判定部における動作波形を示す図である。
【図５】本発明の第２実施形態の構成ブロック図である。
【図６】本発明の第３実施形態の構成ブロック図である。
【符号の説明】
１０，２０３，３０３    正ピーク値判定部
２０，２０４，３０４    負ピーク値判定部
３０，２０５，３０５    Ｐ−Ｐ判定部
４０，２０６，３０６    結果通知部
５０，３０１    イーサネットインタフェース回路
６０，２０７，３０７    コネクタ
１００，２００，３００    パルス波形判定システム
１０００，２０００，３０００    装置
【図１】
2004274240.tif 000003
【図２】
2004274240.tif 000004
【図３】
2004274240.tif 000005
【図４】
2004274240.tif 000006
【図５】
2004274240.tif 000007
【図６】
2004274240.tif 000008